(57)【要約】【課題】外部端末から取得した複数の住所録データから所望の住所を、宛名面へ印刷し、その裏面である通信面には、画像とテキストとを印刷することができる印刷装置を提供することを目的とする。【解決手段】取得した住所録データ、画像データを画像処理する画像処理手段と、上記取得した住所録データと上記住所録に付加されている選択ボックスと上記画像データとを印刷設定シートに印刷する印刷手段とを有する。また、上記印刷設定シートの情報を読み取る画像読取手段を有する印刷装置である。【選択図】図４
2008073912.tif 000002
【特許請求の範囲】
【請求項１】
外部端末と通信する通信手段を具備し、上記通信手段が取得した住所録データ、画像データを印刷可能な印刷装置において、
上記取得した住所録データ、画像データを画像処理する画像処理手段と；
上記取得した住所録データと、上記住所録に付加されている選択ボックスと、上記画像データとを印刷設定シートに印刷する印刷手段と；
上記印刷設定シートの情報を読み取る画像読取手段と；
を有することを特徴とする印刷装置。
【請求項２】
請求項１において、
上記印刷手段は、記録出力条件を記載した印刷設定シートを、上記画像読取手段が読み取った印刷設定シートの住所録データのうちで、上記選択ボックスがチェックされた住所を、記録媒体の第１の面に印刷し、画像データを記録媒体の第２の面に印刷する手段であることを特徴とする印刷装置。
【請求項３】
請求項１において、
上記画像処理手段は、上記通信手段が取得した住所録データに、グループ情報が含まれているかどうかを判断する判断手段を有し、
上記グループ情報が含まれていることを、上記判断手段が判断すると、グループ化して印刷することを特徴とする印刷装置。
【請求項４】
請求項１において、
上記取得した画像データは、テキストデータを含み、
上記画像処理手段は、上記テキストデータと上記画像データとを合成する手段であることを特徴とする印刷装置。
【請求項５】
請求項１において、
上記印刷手段は、上記印刷設定シートの印刷枚数が複数にわたる場合、印刷設定シートの２枚目以降は、１枚目に記載してある設定情報、画像データのうちで、重複する内容を省略して出力することを特徴とする印刷装置。
【請求項６】
外部端末と通信する通信手段を具備し、上記通信手段が取得した住所録データ、画像データを印刷可能な印刷装置の制御方法において、
上記取得した住所録データ、画像データを画像処理する画像処理工程と；
上記取得した住所録データと、上記住所録に付加されている選択ボックスと、上記画像データとを印刷設定シートに印刷する印刷工程と；
上記印刷設定シートの情報を読み取る画像読取工程と；
を有することを特徴とする印刷装置の制御方法。
【請求項７】
請求項６において、
上記印刷工程において、記録出力条件を記載した印刷設定シートを、上記画像読取手段が読み取った印刷設定シートの住所録データのうちで、上記選択ボックスがチェックされた住所を、記録媒体の第１の面に印刷し、画像データを記録媒体の第２の面に印刷するように制御することを特徴とする印刷装置の制御方法。
【請求項８】
請求項６において、
上記画像処理工程で、上記通信手段が取得した住所録データに、グループ情報が含まれているかどうかを判断し、
上記グループ情報が含まれていることを判断すると、グループ化して印刷することを特徴とする印刷装置の制御方法。
【請求項９】
請求項６において、
上記取得した画像データは、テキストデータを含み、
上記画像処理工程において、上記テキストデータと上記画像データとを合成するように制御することを特徴とする印刷装置の制御方法。
【請求項１０】
請求項６において、
上記印刷工程において、上記印刷設定シートの印刷枚数が複数にわたる場合、印刷設定シートの２枚目以降は、１枚目に記載してある設定情報、画像データのうちで、重複する内容を省略して出力するように制御することを特徴とする印刷装置の制御方法。
【発明の詳細な説明】
【技術分野】
【０００１】
本発明は、ファクシミリ、複写機、複合機等の印刷装置に係り、印刷設定シートを介して効率的な印刷を行う自動両面印刷機能を有する装置に関する。
【背景技術】
【０００２】
近年、スキャナとプリンタ機能とを統合した複合機と呼ばれる画像読取記録装置（以下「印刷装置」と呼ぶ）が、急速に普及しつつある。そして、このような印刷装置は、ホストコンピュータを用いずに、外部の記憶装置に保存されている各種データを自ら読み込んで、印刷することが知られている。
【０００３】
しかし、このような印刷装置において、印刷対象になる画像データの選択、印刷枚数、レイアウト等、画像処理条件を、画像読取装置上で表示し、操作することは煩雑である。
【０００４】
そこで、印刷設定シート（以下「ナビシート」と呼ぶ）を利用した効率的な印刷システムの発明が提案されている（たとえば、特許文献１参照）。この提案は、装置コントロールとユーザによって記入されるナビシートとを介して、画像処理動作と、パラメータと、これらが適用される特定の画像とをユーザが指定する画像処理に関する発明である。
【０００５】
また、ナビシートを利用し、画像データにメッセージ等を合成表示する画像処理システムの発明が提案されている（たとえば、特許文献２参照）。
【０００６】
一方、携帯電話機に記憶されているコードデータを、携帯電話機の外部において、容易に印刷するシステムの発明が提案されている（たとえば、特許文献３参照）。この印刷システムは、携帯電話機においてコードデータを画像データに変換し、写真等の入力画像データに合成し、外部の印刷装置に出力し、印刷するシステムである。
【０００７】
これらの発明は、ホストコンピュータを所持していないユーザや、複雑な操作を苦手とするユーザにとっては、重要な技術である。
【特許文献１】特開２００２−２７３９７３号公報
【特許文献２】特開２００５−２４４７３６号公報
【特許文献３】特開２００５−６２９５号公報
【発明の開示】
【発明が解決しようとする課題】
【０００８】
しかし、上記従来の発明のように、ホストコンピュータを用いない印刷方法で、外部端末に記憶されているデータに基づいて、宛名面には住所を印刷し、その裏面である通信面には画像やテキストを印刷する場合、次のように処理する。まず、外部端末から住所録データを取得し、宛名面だけを印刷する。その後に、この印刷されたものを、再び印刷装置の給紙部にセットし、通信面に画像やテキストを印刷する必要がある。
【０００９】
また、自動で両面に印刷する場合、外部端末から住所録データを１件ずつ確認して取得し、または印刷装置で住所録データを一括で取得し、印刷装置側で、宛先の選択を行わなければならない。この際に、表示画面で印刷する宛先を確認し、選択する等、同じような操作を繰り返す処理が必要であり、煩雑である。また、一般的に、外部端末や印刷装置に設けられている表示画面は小さく、解像度も高くないので、その画面で、宛名面と通信面とに印刷するデータを確認する作業は不便である。
【００１０】
さらに、住所録データの中には氏名・住所が正確ではないか、または住所が保存されていないデータが存在する場合があり、この場合には、小さな表示画面で必要なデータをユーザが正確に把握することは困難を極める。
【００１１】
また、年賀状印刷のように、一度に複数の宛名へ印刷する場合、ユーザの多くは、外部端末に登録してある住所録データのうちで、ある一部のデータの宛先にだけ宛名印刷を行いたいとの要望がある。
【００１２】
本発明は、外部端末から取得した複数の住所録データから所望の住所を、宛名面へ印刷し、その裏面である通信面には、画像とテキストとを印刷することができる印刷装置を提供することを目的とする。
【課題を解決するための手段】
【００１３】
本発明は、取得した住所録データ、画像データを画像処理する画像処理手段と、上記取得した住所録データと上記住所録に付加されている選択ボックスと上記画像データとを印刷設定シートに印刷する印刷手段とを有する。また、本発明は、上記印刷設定シートの情報を読み取る画像読取手段を有する印刷装置である。
【００１４】
また、本発明は、取得した住所録データ、画像データを画像処理する画像処理工程と、上記取得した住所録データと、上記住所録に付加されている選択ボックスと、上記画像データとを印刷設定シートに印刷する印刷工程とを有する。さらに、本発明は、上記印刷設定シートの情報を読み取る画像読取工程を有する印刷装置の制御方法である。
【発明の効果】
【００１５】
本発明によれば、ホストコンピュータを所持していないユーザでも、ナビシートを利用した印刷装置単体で、外部端末から取得した住所録データへの宛名印刷が、正確かつ効率的に、必要な宛先にだけ印刷することができるという効果を奏する。
【００１６】
従来までの複雑な作業や繰り返し操作をなくすことができ、利便性が向上する。
【発明を実施するための最良の形態】
【００１７】
発明を実施するための最良の形態は、次の実施例である。
【実施例１】
【００１８】
図１は、本発明の実施例１である印刷装置１０の概観斜視図である。
【００１９】
印刷装置１０は、上部に設けられている読取部１０１と、その後方に印刷用紙を給紙する給紙部１０２と、下部に設けられ印刷用紙に記録する記録部１０３と、操作部１０５と、赤外線通信部１０６とを有する。
【００２０】
記録部１０３の手前上面には、操作部１０５が設けられている。操作部１０５は、印刷装置１０を操作し、スキャナ、プリンタ、複写機、ファクシミリ装置として利用する際に各種指示を与える各種キーと、動作状況やメッセージ等を表示する表示制御部１０４とを有する。赤外線通信部１０６は、外部端末に記憶されているデータを取得する。
【００２１】
読取部１０１は、原稿を読み取るためのＣＣＤを備え、赤（Ｒ）、緑（Ｇ）、青（Ｂ）色のアナログ輝度データを出力する。なお、読取部１０１は、ＣＣＤの代わりに、密着型イメージセンサ（ＣＩＳ）を使用するようにしてもよい。
【００２２】
図２は、印刷装置１０において、上部カバーを全開している状態を示す図である。
【００２３】
図１に示す状態は、上部のカバーが閉じられている状態であり、上部カバーを全開することによって、図２に示すように、原稿を原稿台へ置くことができる。また、図２に示す状態では、記録部１０３の前方の排紙トレーが開かれ、プリントアウトされた用紙の排紙トレーとして機能する。また、ここでは特に図示しないが、自動両面印刷用の両面搬送ユニットが、印刷装置１０内に内蔵されている。
【００２４】
図３は、印刷装置１０の機能構成例を示すブロック図である。
【００２５】
印刷装置１０は、ＣＰＵ２２０と、ＲＯＭ２００と、ＲＡＭ２０１と、不揮発性メモリ２０２とを有する。また、印刷装置１０は、操作制御部２０３と、表示制御部１０４と、通信制御部２０５と、記録制御部２０６と、画像処理部２０７と、読取制御部２０８と、センサ部２０９と、駆動部２１０とを有する。
【００２６】
ＣＰＵ２２０は、印刷装置１０が有する様々な機能を制御し、操作制御部２０３における所定の操作に従い、ＲＯＭ２００に格納されているデータ解析手段、データ変換手段、データ合成手段を実現するプログラム等を実行する。また、ＲＯＭ２００には、取得したテキストデータを印刷するときのフォントデータが格納されている。
【００２７】
不揮発性メモリ２０２は、バッテリバックアップされたＳＲＡＭ等であり、印刷装置１０に固有のデータ等を記憶する。操作制御部２０３は、記憶媒体に記憶されている画像データを選択し、記録をスタートさせるために、印刷スタートキー、ナビシート印刷のモードを指定するモードキー等によって構成されている。ＣＰＵ２２０は、これらキーの押下状態を検出し、この押下状態に応じて、各部を制御する。
【００２８】
表示制御部１０４は、ドットマトリックスタイプの液晶表示部（ＬＣＤ）とＬＣＤドライバとを有し、ＣＰＵ２２０の制御に基づいて、各種の表示を行う。通信制御部２０５は、外部端末と通信するための通信手段を有し、外部端末２５０に記録されているデータを赤外線通信等で取得する際のデータ通信を制御する。
【００２９】
記録制御部２０６は、印刷制御手段を有し、インクジェット方式のインクジェットヘッド、汎用ＩＣ等によって構成され、ＣＰＵ２２０の制御によって、ＲＡＭ２０１に格納されている記録データを読み出し、ハードコピーとしてプリント出力するときに制御する。読取制御部２０８は、後述するナビシートＮＳ１の情報を読み取る画像読取手段を有し、原稿台に置かれているナビシートＮＳ１の情報を読み取り、その制御を行う。
【００３０】
画像処理部２０７は、画像解析、画像合成、出力画像補正等の画像処理を行う画像処理手段を有し、これらの画像処理によって得られた印刷データは、ＲＡＭ２０１に格納される。ＲＡＭ２０１に格納された印刷データが、記録制御部２０６で記録する場合に必要な所定量に達すると、記録制御部２０６による記録動作が実行される。
【００３１】
センサ部２０９は、記録紙幅センサ、記録紙有無センサ、原稿幅センサ、原稿有無センサ、記録媒体検知センサ等によって構成されている。ＣＰＵ２２０は、これらセンサから得られた状態に基づいて、原稿と記録紙との状態を検知する。
【００３２】
駆動部２１０は、読取制御部２０８、記録制御部２０６のそれぞれの動作において、給排紙ローラを駆動するためのステッピングモータと、ステッピングモータの駆動力を伝達するギヤと、ステッピングモータを制御するドライバ回路とによって構成されている。
【００３３】
次に、携帯電話に記憶されている複数の住所録データを、印刷装置１０が取得し、はがきの宛名面に住所を印刷し、その通信面に画像とテキストとを印刷する動作について説明する。
【００３４】
図４は、印刷装置１０で使用するナビシートを作成する動作を示すフローチャートである。
【００３５】
なお、印刷装置１０は、操作部１０５を介して、ナビシートモードに切り替えられ、宛先となる住所録データの取得待ち状態であり、この旨を、表示制御部１０４に表示する。また、印刷装置１０と図示しない携帯電話とは、互いに赤外線で通信し、印刷装置１０は、携帯電話に記憶されているデータを取得できるものとする。
【００３６】
図５は、携帯電話に記憶されている住所録データを示す図である。
【００３７】
実施例１では、住所録データとして、名前と住所とが含まれているが、画像やメールアドレス等を含むようにしてもよい。
【００３８】
まず、図４に示すＳ１００で、はがきの宛名面に印刷を行う宛先となる住所を、携帯電話の記憶領域にある住所録データから、赤外線通信部１０６が取得する。
【００３９】
印刷装置１０は、携帯電話に記憶されている全ての住所録データを、一括で取得し、または、グループ毎に分類されている住所録データを取得することが可能であり、一度に複数の住所録データを取得し、印刷装置１０内の記憶領域に記憶する。実施例１では、住所録データを、一括して取得しているが、１件ずつ取得するようにしてもよい。取得した住所録データを、画像処理部２０７が確認したら、差出人となる住所録データの取得待ち状態になり、この旨を表示制御部１０４が表示する。
【００４０】
次に、Ｓ１０１で、はがきの宛名面に印刷を行う差出人を示す住所を、携帯電話の記憶領域にある個人データから、赤外線通信部１０６が取得し、印刷装置１０内の記憶領域に記憶する。取得した住所録データを、画像処理部２０７が確認すると、画像データの取得待ち状態になり、この旨を表示制御部１０４が表示する。
【００４１】
続いて、Ｓ１０２で、はがきの通信面に画像を印刷する場合、Ｓ１０３で、携帯電話の記憶領域にある画像データを、赤外線通信部１０６が取得し、印刷装置１０内の記憶領域に記憶する。取得した画像データを、画像処理部２０７が確認するか、または、操作部１０５を介して画像を印刷しないと操作すると、テキストデータの取得待ち状態になり、この旨を表示制御部１０４が表示する。
【００４２】
その後に、Ｓ１０４で、はがきの通信面にテキストを印刷する場合、Ｓ１０５で、携帯電話の記憶装置にあるテキストデータを、赤外線通信部１０６が取得し、印刷装置１０内の記憶領域に記憶する。取得したテキストデータを、画像処理部２０７が確認するか、または、操作部１０５を介してテキストを印刷しないと操作したら、印刷に必要なデータの取得が完了し、Ｓ１０６に進む。
【００４３】
Ｓ１０６で、印刷装置１０の記憶領域に記憶した宛先となる複数の住所録データから、１件ずつ読み出す。Ｓ１０７では、Ｓ１０６で読み出した住所録データが存在するかどうかを判断する。Ｓ１０６で読み出した住所録データが存在すると判断すると、Ｓ１０８に進み、読み出す住所録データが存在しないと判断すると、Ｓ１１１に進む。Ｓ１０８で、氏名と住所とが、ともに登録されているかどうかを判断し、ともに登録されていれば、Ｓ１０９へ進み、ともに登録されていなければ、Ｓ１１０へ進む。
【００４４】
Ｓ１０９で、住所録データに選択ボックスを付加する。Ｓ１１０で、住所録データをナビシートＮＳ１のデータに変換する。そして、Ｓ１０６へ戻る。これらＳ１０６〜Ｓ１１０の処理を繰り返し、取得した宛先である全ての住所録データを処理し、ナビシートＮＳ１の住所録データを作成する。
【００４５】
図６は、Ｓ１１１で出力したナビシートＮＳ１の例を示す図である。
【００４６】
ナビシートＮＳ１は、画像データ欄１５１と、テキスト欄１５２と、用紙の設定欄１５３と、テキストの設定欄１５４と、レイアウトの設定欄１５５と、住所録データ欄１５６とを有する。
【００４７】
画像データ欄１５１には、通信面に印刷する画像が印刷され、テキスト欄１５２には、通信面に印刷するテキストが印刷される。用紙の設定欄１５３には、印刷用紙の設定が印刷され、テキストの設定欄１５４には、テキストの設定が印刷され、レイアウトの設定欄１５５には、レイアウトを選択する記入欄が印刷される。
【００４８】
レイアウトの設定欄１５５には、Ｓ１１０で作成した住所録データの一覧が印刷され、図５に示す携帯電話に記録されている名前と住所とに対応している。
【００４９】
図７は、住所録データを示す図である。
【００５０】
Ｓ１１０で、住所録データが膨大となり、ナビシートＮＳ１が複数になる場合、図７に示すように、２枚目以降で通信面に印刷するデータと、設定情報等で１枚目と重複する内容とを省略し、住所録データ一覧が印刷される。これによって、記録媒体の枚数、インクの消費量を削減することができ、また、少ない枚数で、住所録データを多く記録することができる。
【００５１】
図８は、印刷装置１０が、ナビシートＮＳ１を使用して、宛名印刷を行う動作を示すフローチャートである。
【００５２】
まず、Ｓ２００では、ユーザが手操作することによって、図４に示す手順によって印刷したナビシートＮＳ１の用紙の設定欄１５３に、印刷する記録媒体の種類を選択し、ナビシートＮＳ１にマークする。通信面に印刷するテキストの印刷方向、フォントの大きさ、フォントの種類を選択し、ナビシートＮＳ１におけるテキストの設定欄１５４にマークする。
【００５３】
通信面に印刷する画像のレイアウトを選択し、ナビシートＮＳ１におけるレイアウトの設定欄１５５にマークする。また、ナビシートＮＳ１の住所録データ欄１５６に記載されている選択ボックスであって、宛名印刷する住所に対応する選択ボックスをマークする。
【００５４】
Ｓ２０４で、記載したナビシートＮＳ１を、印刷装置１０の読取部１０１が読み取る。ナビシートＮＳ１が複数にわたる場合、印刷装置１０の読取部１０１が、Ｓ１１１で印刷された順番で読み取る。
【００５５】
Ｓ２０５では、Ｓ２０４で読み取ったナビシートＮＳ１の情報に基づいて、通信面に印刷する画像とテキストとを編集、合成し、印刷データを作成する。Ｓ２０６では、Ｓ２０４で読み取ったナビシートＮＳ１の住所録データ欄１５６における選択ボックスからマークしてある選択ボックスに対応する住所録データを、印刷装置１０の記憶領域から参照し、取得する。
【００５６】
Ｓ２０７では、Ｓ２０６で取得した住所録データを１件ずつ読み出す。Ｓ２０８では、Ｓ２０７で読み出した住所録データが存在するかどうかを判断する。Ｓ２０７で読み出した住所録データが存在すれば、Ｓ２０９で、センサ部２０９が、給紙部１０２にはがきがセットされていることを確認する。Ｓ２０８で読み出す住所録データが存在しないと判断すれば、印刷を終了する。
【００５７】
図９は、はがきの宛名面と通信面との例を示す図である。
【００５８】
Ｓ２１０で、はがきの宛名面において、差出人の住所領域３０１に、差出人の住所と氏名とを印刷し、宛先の住所領域３０２に、読み出した住所録データを印刷する。その後に、印刷装置１０内の自動両面印刷用の両面搬送ユニットが印刷したはがきが、一旦取り込まれ、表裏が反転される。そして、Ｓ２１１で、はがきの通信面の画像データ領域３０３に、Ｓ２０５で作成した印刷データを印刷し、Ｓ２０７へ戻る。これらＳ２０７〜Ｓ２１１の処理を、繰り返し、ナビシートＮＳ１で選択した全ての住所を宛名印刷する。
【実施例２】
【００５９】
本発明の実施例２である印刷装置２０は、ナビシートＮＳ２を作成する際に、取得した住所録データの登録情報を、グループ毎に分類する実施例である。
【００６０】
なお、印刷装置２０の構成は、印刷装置１０の構成と同様であり、印刷装置１０と実質的に同一の部分については同一の符号を付して説明を省略する。
【００６１】
図１０は、実施例２において携帯電話に記憶されている住所録データを示す図である。
【００６２】
実施例２では、住所録データとして、名前と、住所と、それらが分類されているグループ名とが記載されている。なお、画像やメールアドレス等を含むようにしてもよい。
【００６３】
図１１は、本発明の実施例２である印刷装置２０で使用するナビシートＮＳ２を作成する動作を示すフローチャートである。
【００６４】
実施例２の動作は、基本的には、図４に示す実施例１の動作と同じであり、Ｓ１０７とＳ１０８との間に、Ｓ１２０とＳ１２１とが加入されている点が、実施例１とは異なる。
【００６５】
Ｓ１２０では、Ｓ１０７で読み出した住所録データに、グループ情報が存在するかどうかを判断する。グループ情報が存在すれば、Ｓ１２１で、住所録データをグループごとに分類する。その後におけるＳ１０８とＳ１０９との処理は、実施例１と同一の処理であるので、その説明を省略する。
【００６６】
Ｓ１２０でグループ情報がないと判断すれば、Ｓ１０８に進む。
【００６７】
Ｓ１１０では、Ｓ１２１でグループ化した住所録データをナビシートＮＳ２のデータに変換する。そして、Ｓ１０６へ戻る。これらＳ１０６〜Ｓ１１０の処理を繰り返し、取得した宛先である全ての住所録データを処理し、ナビシートＮＳ２の住所録データを作成する。
【００６８】
図１２は、実施例２において、Ｓ１１１で出力したナビシートＮＳ２を示す図である。
【００６９】
ナビシートＮＳ２は、画像データ欄１５１と、テキスト欄１５２と、用紙の設定欄１５３と、テキストの設定欄１５４と、レイアウトの設定欄１５５と、住所録データ欄１５６と、グループ表示欄１５７とを有する。
【００７０】
グループ表示欄１５７は、Ｓ１１０で作成した住所録データが、携帯電話に分類されているグループごとに一覧が印刷され、図１０に示す携帯電話に記録されている名前と住所とに対応している。グループ表示欄１５７において、住所録データを分類しているグループ名が、選択ボックスとともに印刷される。実施例２では、図１２に示すように、グループ毎の分類を枠で囲っているが、線引きやスペースを挿入する等によって、分類するようにしてもよい。
【００７１】
ユーザは、グループ情報の選択ボックスをマークすることによって、そのナビシートＮＳ２が読み込まれた際に、マークが記入されているグループに含まれている全ての住所録データを、印刷装置２０の記憶領域を参照し、取得する。
【００７２】
実施例２において、ナビシートＮＳ２を使用して、宛名印刷する動作は、印刷装置２０がグループ情報の選択ボックスを読み込む。これによって、そのグループに含まれている住所録データの選択ボックスが全て選択されたことになるので、実施例１と実質的に同一の動作が可能となる。
【００７３】
なお、実施例１、２において、データを取得する場合、携帯電話から取得したデータを、印刷装置１０、２０の記憶領域に全て記憶するＰｕｓｈ型を扱う。しかし、携帯電話の記憶されている必要なデータを必要なときにだけ取得するＰｕｌｌ型モデルを扱うようにしてもよい。
【００７４】
Ｐｕｌｌ型モデルでは、通信時に、携帯電話に記憶されているデータを解析し、印刷装置１０、２０の記憶領域には、データ自体の記憶を行わない。ナビシートＮＳ１、ＮＳ２や宛名印刷等必要なときに、必要なデータを携帯電話から取得する。
【００７５】
また、上記実施例１、２において、携帯電話を扱い、赤外線によって通信する。しかし、携帯電話だけでなく、ＰＤＡ等の住所録データを記憶し、ＵＳＢ接続等の通信手段によって印刷装置１０、２０が取得できるものであれば、携帯電話の代わりに使用するようにしてもよい。
【図面の簡単な説明】
【００７６】
【図１】本発明の実施例１である印刷装置１０の概観斜視図である。
【図２】印刷装置１０において、上部カバーを全開している状態を示す図である。
【図３】印刷装置１０の機能構成例を示すブロック図である。
【図４】印刷装置１０で使用するナビシートを作成する動作を示すフローチャートである。
【図５】携帯電話に記憶されている住所録データを示す図である。
【図６】Ｓ１１１で出力したナビシートＮＳ１の例を示す図である。
【図７】住所録データを示す図である。
【図８】印刷装置１０が、ナビシートＮＳ１を使用して、宛名印刷を行う動作を示すフローチャートである。
【図９】はがきの宛名面と通信面との例を示す図である。
【図１０】実施例２において携帯電話に記憶されている住所録データを示す図である。
【図１１】本発明の実施例２である印刷装置２０のナビシートＮＳ２を作成する動作を示すフローチャートである。
【図１２】実施例２において、Ｓ１１１で出力したナビシートＮＳ２を示す図である。
【符号の説明】
【００７７】
１０…印刷装置、
１０１…読取部、
１０３…記録部、
１０４…表示制御部、
１０５…操作部、
１０６…赤外線通信部。
【図１】
2008073912.tif 000003
【図２】
2008073912.tif 000004
【図３】
2008073912.tif 000005
【図４】
2008073912.tif 000006
【図５】
2008073912.tif 000007
【図６】
2008073912.tif 000008
【図７】
2008073912.tif 000009
【図８】
2008073912.tif 000010
【図９】
2008073912.tif 000011
【図１０】
2008073912.tif 000012
【図１１】
2008073912.tif 000013
【図１２】
2008073912.tif 000014